(57)【要約】【課題】消費電力を低減する受信装置、移動体通信システム、及び受信方法を提供する。【解決手段】本発明による受信装置は、複数の受信信号のそれぞれを逆拡散する複数のフィンガ回路４１〜４ｎと、複数のフィンガ回路４１〜４ｎのうち、少なくとも１つのフィンガ回路において逆拡散された受信信号を合成するレイク合成部５０と、レイク合成部５０で合成された合成受信データ１０２の電力値１０４を測定する電力測定回路６０と、合成受信データ１０２のエラー率１０５を測定するエラー検出回路７２と、合成受信データ１０２のエラー訂正を実行するエラー訂正回路７１と、電力値１０４とエラー率１０５とに基づき、対象回路への電源の供給を停止する電源制御部８０とを具備する。ここで対象回路は、複数のフィンガ回路４１〜４ｎのうち少なくとも１つのフィンガ回路と、エラー訂正回路７１である【選択図】図２
2008053896.tif 000002
【特許請求の範囲】
【請求項１】
受信信号のエラーを検出するエラー検出回路と、
前記受信信号のエラーが検出されたとき前記受信信号のエラーを訂正するエラー訂正回路と、
前記受信信号の電力値を測定する電力測定回路と、
前記電力値に基づいて前記エラー訂正回路を停止させる電源制御部と、
を具備する受信装置。
【請求項２】
請求項１に記載の受信装置において、
信号を受信する受信回路と、
前記受信回路で受信した信号に対し逆拡散処理するレイクフィンガ部と、
を更に具備し、
前記受信信号は、前記レイクフィンガ部において逆拡散処理された信号に基づく信号である受信装置。
【請求項３】
請求項２に記載の受信装置において、
前記レイクフィンガ部は、前記受信回路で受信した複数の信号のそれぞれに対して逆拡散処理する複数のフィンガ回路を備え、
前記受信信号は、前記複数のフィンガ回路において逆拡散処理された複数の信号に基づく信号である受信装置。
【請求項４】
請求項３に記載の受信装置において、
前記電源制御部は、前記電力値に基づいて前記複数のフィンガ回路の少なくとも１つを停止させる受信装置。
【請求項５】
請求項３に記載の受信装置において、
前記電源制御部は、前記複数のフィンガ回路のうち最大電力値の受信信号を受信するフィンガ回路を除く全てのフィンガ回路と、前記エラー訂正回路とを停止させる受信装置。
【請求項６】
請求項３に記載の受信装置において、
前記複数のフィンガ回路のそれぞれにおいて逆拡散処理された信号のレイク合成を行い、前記受信信号を生成するレイク合成部を更に具備する受信装置。
【請求項７】
請求項６に記載の受信装置において、
前記電源制御部は、前記電力値に基づいて前記レイク合成部への電源の供給を停止する受信装置。
【請求項８】
請求項１に記載の受信装置において、
前記電力値と所定の閾値である電力条件とを比較する受信電力判定部と、
前記エラー率と所定の閾値であるエラー率条件とを比較するエラー率判定部と、
を更に具備し、
前記電源制御部は、前記電力値が前記電力条件より大きく、且つ前記エラー率が前記エラー条件より小さい場合、前記エラー訂正回路への電源の供給を停止する受信装置。
【請求項９】
請求項６に記載の受信装置において、
前記電力値と所定の閾値である電力条件とを比較する受信電力判定部と、
前記エラー率と所定の閾値であるエラー率条件とを比較するエラー率判定部と、
を更に具備し、
前記電源制御部は、前記電力値が前記電力条件より大きく、且つ前記エラー率が前記エラー条件より小さい場合、前記レイク合成部への電源の供給を停止する受信装置。
【請求項１０】
請求項８に記載の受信装置において、
前記電源制御部は、前記電力値が前記電力条件より小さい場合、前記電源の供給が停止された前記エラー訂正回路に対する電源の供給を開始する受信装置。
【請求項１１】
請求項９に記載の受信装置において、
前記電源制御部は、前記電力値が前記電力条件より小さい場合、前記電源の供給が停止された前記レイク合成部に対する電源の供給を開始する受信装置。
【請求項１２】
請求項８に記載の受信装置において、
前記電源制御部は、前記エラー率が前記エラー条件より大きい場合、前記電源の供給が停止された前記エラー訂正回路に対する電源の供給を開始する受信装置。
【請求項１３】
請求項９に記載の受信装置において、
前記電源制御部は、前記エラー率が前記エラー条件より大きい場合、前記電源の供給が停止された前記レイク合成部に対する電源の供給を開始する受信装置。
【請求項１４】
請求項１に記載の受信装置において、
前記電源制御部は、所定の時間が経過すると、前記電源の供給が停止された前記エラー訂正回路に対する電源の供給を開始する受信装置。
【請求項１５】
請求項６に記載の受信装置において、
前記電源制御部は、所定の時間が経過すると、前記電源の供給が停止された前記レイク合成部に対する電源の供給を開始する受信装置。
【請求項１６】
請求項１から１５いずれか１項に記載の受信装置を備える移動通信端末装置と、
前記移動通信端末装置との間において、ＣＤＭＡ（Code Division Multiple Access）方式により無線通信を行う基地局装置と、
を具備する移動体通信システム。
【請求項１７】
エラー検出回路が、受信信号のエラーを検出するステップと、
エラー訂正回路が、前記受信信号のエラーが検出されたとき前記受信信号のエラーを訂正するステップと、
電力測定回路が、前記受信信号の電力値を測定するステップと、
電源制御部が、前記電力値に基づいて前記エラー訂正回路を停止させるステップと、
を具備する受信方法。
【請求項１８】
請求項１７に記載の受信方法において、
受信回路が信号を受信するステップと、
レイクフィンガ部が、前記受信回路で受信した信号に対し逆拡散処理するステップと、
を更に具備し、
前記受信信号は、前記レイクフィンガ部において逆拡散処理された信号に基づく信号である受信方法。
【請求項１９】
請求項１８に記載の受信方法において、
前記レイクフィンガ部は複数のフィンガ回路を備え、
前記逆拡散処理ステップは、前記複数のフィンガ回路が、前記受信回路で受信した複数の信号のそれぞれに対して逆拡散処理するステップを備え、
前記受信信号は、前記複数のフィンガ回路において逆拡散処理された複数の信号に基づく信号である受信方法。
【請求項２０】
請求項１９に記載の受信方法において、
前記エラー回路を停止させるステップは、
前記電源制御部が、前記電力値に基づいて前記複数のフィンガ回路の少なくとも１つを停止させるステップを備える受信方法。
【請求項２１】
請求項１９に記載の受信方法において、
前記エラー訂正回路を停止させるステップは、前記電源制御部が、前記複数のフィンガ回路のうち最大電力値の受信信号を受信するフィンガ回路を除く全てのフィンガ回路と、前記エラー訂正回路とを停止するステップを備える受信方法。
【請求項２２】
請求項１９に記載の受信方法において、
レイク合成部が、前記複数のフィンガ回路のそれぞれにおいて逆拡散処理された信号のレイク合成を行い、前記受信信号を生成するステップを更に具備する受信方法。
【請求項２３】
請求項２２に記載の受信方法において、
前記エラー回路を停止させるステップは、
前記電源制御部が、前記電力値に基づいて前記レイク合成部への電源の供給を停止するステップを備える受信方法。
【請求項２４】
請求項１７に記載の受信方法において、
所定の閾値である電力条件を設定するステップと、
所定の閾値であるエラー率条件を設定するステップと、
を更に具備し、
前記エラー回路を停止させるステップは、
受信電力判定部が前記電力値と前記電力条件とを比較するステップと、
エラー率判定部が前記エラー率と前記エラー率条件とを比較するステップと、
前記電源制御部が、前記電力値が前記電力条件より大きく、且つ前記エラー率が前記エラー条件より小さい場合、前記エラー訂正回路への電源の供給を停止するステップとを備える受信方法。
【請求項２５】
請求項２２に記載の受信装置において、
所定の閾値である電力条件を設定するステップと、
所定の閾値であるエラー率条件を設定するステップと、
を更に具備し、
前記エラー回路を停止させるステップは、
受信電力判定部が前記電力値と前記電力条件とを比較するステップと、
エラー率判定部が前記エラー率と前記エラー率条件とを比較するステップと、
前記電源制御部が、前記電力値が前記電力条件より大きく、且つ前記エラー率が前記エラー条件より小さい場合、前記レイク合成部への電源の供給を停止するステップと、
を備える受信方法。
【請求項２６】
請求項２４に記載の受信方法において、
前記電源制御部が、前記電力値が前記電力条件より小さい場合、前記電源の供給が停止された前記エラー訂正回路に対する電源の供給を開始するステップを更に具備する受信方法。
【請求項２７】
請求項２５に記載の受信方法において、
前記電源制御部が、電力値が前記電力条件より小さい場合、前記電源の供給が停止された前記レイク合成部に対する電源の供給を開始するステップを更に具備する受信方法。
【請求項２８】
請求項２４に記載の受信方法において、
前記電源制御部が、前記エラー率が前記エラー条件より大きい場合、前記電源の供給が停止された前記エラー訂正回路に対する電源の供給を開始するステップを更に具備する受信方法。
【請求項２９】
請求項２５に記載の受信方法において、
前記電源制御部が、前記エラー率が前記エラー条件より大きい場合、前記電源の供給が停止された前記レイク合成部に対する電源の供給を開始するステップを更に具備する受信方法。
【請求項３０】
請求項１７に記載の受信方法において、
前記電源制御部が、所定の時間が経過すると、前記電源の供給が停止された前記エラー訂正回路に対する電源の供給を開始するステップを更に具備する受信方法。
【請求項３１】
請求項２２に記載の受信方法において、
前記電源制御部が、所定の時間が経過すると、前記電源の供給が停止された前記レイク合成部に対する電源の供給を開始するステップを更に具備する受信方法。
【発明の詳細な説明】
【技術分野】
【０００１】
本発明は、移動体通信システムに関する。
【背景技術】
【０００２】
スペクトル拡散方式（例えば、ＣＤＭＡ（Code Division Multiple）方式）による移動体通信システムでは、到来する複数の電波を受信し、レイク合成によって受信感度を向上させる技術（レイク受信）が利用されている。詳細には、マルチパス伝搬路によって複数の遅延波が重畳した受信信号が、複数のフィンガ回路によってそれぞれ逆拡散復調されてレイク合成部に入力される。レイク合成部は、逆拡散復調によって分離された各パスごとの信号を時間と位相をそろえて合成する。この際、レイク合成部は各パスのS/N比に従って重み付けする最大比合成を用いて信号を合成する。合成された受信信号は、エラー訂正回路においてエラー訂正が施された後、音声信号や画像信号等に復号される。
【０００３】
これらのフィンガ回路、レイク合成部、及びエラー訂正回路は複雑な構成であり、且つ大規模な回路となっている為、消費電力は非常に大きくなる。このため、移動体通信装置（例えば、携帯電話）における電力の大半はこれらの回路で消費されている。
【０００４】
又、従来技術による移動体通信装置では、複数の遅延信号を受信する毎に、複数のフィンガ回路が復調処理を実行するため、消費電力が増大してしまう。例えば、信号の伝送路上に障害物が全く無い近距離通信状態において、フェージングや反射波による影響が非常に小さく、受信エラーが起こらないような安定した受信状態の場合においても、全てのフィンガ回路とレイク合成部の回路が動作し続ける。又、エラーが無い状態であってもエラー訂正回路は、常に動作し続ける。
【０００５】
このため、このような移動体通信装置では、搭載されるフィンガ回路の数が少ない程、消費電力を抑えることができる。しかし、受信感度を向上させるためにはフィンガ回路の数を増やす必要がある。特に、広い周波数帯域に信号を拡散するＷ−ＣＤＭＡ方式を採用する移動通信端末の場合、より多くのフィンガ回路を利用してレイク受信を行う必要がある。従って、フィンガ回路の数を縮小して消費電力を抑制することは、受信感度の低下につながり現実的ではない。
【０００６】
上述のような移動体通信装置における消費電力の増大を抑制するための従来技術が、例えば、特開２００１−７７７２３号公報（特許文献１参照）、特開２０００−１７４７２９号公報（特許文献２参照）、特開２０００−１２４８４７号公報（特許文献３参照）に記載されている。これらの従来例には、受信状態に応じて、動作させるフィンガ回路の数を制限する技術が記載されている。
【０００７】
詳細には、特許文献１に記載のＣＤＭＡ受信端末は、レイク回路（レイク合成部）により複数の伝搬経路からの受信信号の電界レベルの強弱を判定するレベル判定回路を設けている。このレベル判定回路は、電界レベルの低い伝搬経路からの信号を受信しているフィンガ回路の動作クロックの供給を一定時間停止することで、省電力制御を実行する。
【０００８】
特許文献２に記載のＣＤＭＡ受信装置は、受信レベルの最高値から順に隣接レベル差を求めて、不要な弱レベルのフィンガ回路の動作を、当該フィンガ回路への電源供給停止により省電力制御を実行するフィンガ部電源制御回路を備える。
【０００９】
特許文献３に記載のＣＤＭＡ方式移動通信受信機は、受信するパイロット信号から各フィンガ回路の出力レベルとビット誤り率とを測定してマルチパスが少ないと判定されたときには最大レベルの信号を受信したフィンガ回路以外のフィンガ回路とレイク合成部の動作を止めることにより省電力制御を実行する。
【特許文献１】特開２００１−７７７２３号公報
【特許文献２】特開２０００−１７４７２９号公報
【特許文献３】特開２０００−１２４８４７号公報
【発明の開示】
【発明が解決しようとする課題】
【００１０】
上述のように従来技術では、受信状態が良好である場合、受信レベルが閾値以下の信号を受信したフィンガ回路や、レイク合成部の動作を停止することで消費電力の低減を図っている。しかし、これらの従来技術では、受信状態が良好な場合においても、常にエラー訂正回路が動作しているため、消費電力が大きくなっている。
【課題を解決するための手段】
【００１１】
以下に、［発明を実施するための最良の形態］で使用される番号・符号を括弧付きで用いて、［課題を解決するための手段］を説明する。この番号・符号は、［特許請求の範囲］の記載と［発明を実施するための最良の形態］の記載との対応関係を明らかにするために付加されたものであるが、［特許請求の範囲］に記載されている発明の技術的範囲の解釈に用いてはならない。
【００１２】
本発明による受信装置は、エラー検このように本発明による受信装置は、受信信号（１０２）の電力値出回路（７２）、エラー訂正回路（７１）、電力測定回路（６０）、電源制御部（８０）を具備する。エラー検出回路（７２）は、受信信号（１０２）のエラーを検出する。エラー訂正回路（７１）は、受信信号（１０２）のエラーが検出されたとき受信信号（１０２）のエラーを訂正する。電力測定回路（６０）は、受信信号（１０２）の電力値（１０４）を測定する。電源制御部（８０）は、電力値（１０４）に基づいてエラー訂正回路（７１）を停止させる。（１０４）に基づき、エラー訂正回路（７１）への電源供給を停止するため、受信状況に応じて、消費電力を低減することができる。
【００１３】
本発明による受信装置は、信号を受信する受信回路（２０）と、受信回路（２０）で受信した信号に対し逆拡散処理するレイクフィンガ部とを更に具備することが好ましい。ここで、受信信号（１０２）は、レイクフィンガ部において逆拡散処理された信号に基づく信号である。すなわち、本発明による受信装置は、レイクフィンガ部によって逆拡散処理された信号に基づきエラー訂正回路を停止する。
【００１４】
又、レイクフィンガ部は、受信回路（２０）で受信した複数の信号のそれぞれに対して逆拡散処理する複数のフィンガ回路（４１〜４ｎ）を備えることが好ましい。この場合、受信信号（１０２）は、複数のフィンガ回路（４１〜４ｎ）において逆拡散処理された複数の信号に基づく信号である。この際、電源制御部（８０）は、電力値（１０４）に基づいて複数のフィンガ回路（４１〜４ｎ）の少なくとも１つを停止させる。
【００１５】
あるいは、電源制御部（８０）は、複数のフィンガ回路（４１〜４ｎ）のうち最大電力値（１０４）の受信信号（１０２）を受信するフィンガ回路（４１〜４ｎ）を除く全てのフィンガ回路（４１〜４ｎ）と、エラー訂正回路（７１）とを停止させる。
【００１６】
更に、本発明による受信装置は、複数のフィンガ回路（４１〜４ｎ）のそれぞれにおいて逆拡散処理された信号のレイク合成を行い、受信信号（１０２）を生成するレイク合成部（５０）を更に具備することが好ましい。すなわち、本発明による受信装置は、レイク合成部によって逆拡散処理された複数の信号を合成した受信信号（１０２）に基づきエラー訂正回路を停止する。この場合、電源制御部（８０）は、電力値（１０４）に基づいてレイク合成部（５０）への電源の供給を停止することが好ましい。
【００１７】
本発明による受信装置は、電力値（１０４）と所定の閾値である電力条件（ＰＴ）とを比較する受信電力判定部と、エラー率（１０５）と所定の閾値であるエラー率（１０５）条件とを比較するエラー率（１０５）判定部とを更に具備することが好ましい。この場合、電源制御部（８０）は、電力値（１０４）が電力条件（ＰＴ）より大きく、且つ前記エラー率（１０５）がエラー条件（ＥＴ）より小さい場合、エラー訂正回路（７１）又は／及びレイク合成部（５０）への電源の供給を停止することが好ましい。あるいは、電源制御部（８０）は、電力値（１０４）が電力条件（ＰＴ）より小さい場合、電源の供給が停止されたエラー訂正回路（７１）又は／及びレイク合成部（５０）に対する電源の供給を開始することが好ましい。あるいは、電源制御部（８０）は、エラー率（１０５）がエラー条件（ＥＴ）より大きい場合、電源の供給が停止されたエラー訂正回路（７１）又は／及びレイク合成部（５０）に対する電源の供給を開始することが好ましい。あるいは、電源制御部（８０）は、所定の時間が経過すると、電源の供給が停止されたエラー訂正回路（７１）又は／及びレイク合成部（５０）に対する電源の供給を開始することが好ましい。
【００１８】
本発明による受信装置は、基地局とＣＤＭＡ（Code Division Multiple Access）方式により無線通信を行う移動体通信端末に設けられることが好ましい。
【発明の効果】
【００１９】
本発明による受信装置、移動体通信システム、及び受信方法によれば、消費電力を低減することができる。
【００２０】
又、伝搬経路上の受信状態が良好な場合に、消費電力を低減することができる。
【００２１】
更に、伝搬経路上の受信状態に応じて、消費電力を制御することができる。
【発明を実施するための最良の形態】
【００２２】
以下、添付図面を参照して、本発明による移動体通信システムの実施の形態が説明される。図面において同一、又は類似の参照符号は、同一、類似、又は等価な構成要素を示している。本実施の形態ではCDMA方式を適用した携帯電話システムを一例に説明する。
【００２３】
１．構成
図１は、本実施の形態における移動体通信システムの一部を示す概念図である。本発明による移動体通信システムは、スペクトル拡散方式によって、基地局２を介して相互に通信を実行する複数の携帯電話端末１を具備している（ここでは、１台の携帯電話端末１のみ図示）。携帯電話端末１は、図３に示される受信装置を備え、基地局２から送信される無線信号を受信し、復調及び復号処理によって所望の情報（音声、テキスト、画像等）を取得する。
【００２４】
基地局２は、交換機能を有し、有線及び無線回線を通じて携帯電話端末１と他の携帯電話端末１との間、あるいは携帯電話端末１と他の電話端末との間における音声通信やデータ通信を実現する。詳細には、基地局２は、音声データ、テキストデータ、画像データ等の各種データをデジタル変調（例えば、PSK変調）し、この変調データを拡散符号を用いて拡散して広帯域のベースバンド信号に変換する。そして、拡散されたベースバンド信号は、所定の周波数の無線信号にアップコンバートされてアンテナを介して携帯電話端末１に送信される。この際、図１に示されるように、基地局２から送信される無線信号は、周囲の障害物等による反射によって、それぞれ異なる伝送路（Ａ、Ｂ、Ｃ）を伝搬して、複数の無線信号の合成信号として携帯電話端末１に到達する。以下、異なる伝送路（パス）を伝搬する複数の信号のそれぞれをパス信号と称し、複数のパス信号をマルチパス信号と称す。
【００２５】
携帯電話端末１に受信されるマルチパス信号は、図２に示される受信装置によって、逆拡散復調処理、レイク合成処理、エラー訂正処理が施され、図示しないデコーダによって復号処理される。以下、図１から図４を参照して、本発明による受信装置の構成の詳細を説明する。
【００２６】
図２を参照して、本発明による受信装置は、アンテナ１０、受信回路２０、タイミング制御部３０、レイクフィンガ部４０、レイク合成部５０、電力測定回路６０、エラー制御部７０、電源制御部８０とを具備する。
【００２７】
アンテナ１０は、基地局２からのマルチパス信号を受信し、受信回路２０に送信する。受信回路２０は、アンテナから送信されたマルチパス信号をＩＦ信号にダウンコンバートした後、ベースバンド信号に直交復調する。そして、そのベースバンド信号をＡ／Ｄ変換して、受信信号１１０としてタイミング制御部３０、及びレイクフィンガ部４０に出力する。
【００２８】
タイミング制御部３０は、受信信号１１０のマルチパス伝搬特性を解析し、レイクフィンガ部４０の逆拡散処理の対象となるパス信号、及びレイク合成部５０における合成タイミングを決定する。ここで、マルチパス伝搬特性とは、携帯電話端末１が受信するマルチパス信号の受信時間、振幅、位相である。
【００２９】
例えば、タイミング制御部３０は、図示しないマッチフィルタ、マルチパス検出器、フィンガアサイン回路を具備する。マッチフィルタは、パイロットチャネル用拡散符号を用いて受信信号１１０内のパイロット信号を相関処理する複数の相関器を有する。マルチパス検出器は、マッチトフィルタから出力される相関値から各パス信号の電力を算出する。マルチパス検出器は、この電力に基づき、各パス信号の受信時間、振幅（信号レベル、例えばS/N比）、位相を求め、遅延プロファイル１０１としてレイク合成部５０に転送する。フィンガアサイン回路は、遅延プロファイル１０１に基づき、逆拡散復調の対象となるパス信号をレイクフィンガ部４０内の各フィンガ回路４１〜４ｎに割り当てる。この際、フィンガアサイン回路は、逆拡散処理の実行タイミングを決めるタイミング信号１２１〜１２ｎを対応するフィンガ回路４１〜４ｎに出力する。
【００３０】
レイクフィンガ部４０は、タイミング制御部３０によって割り当てられたパス信号をそれぞれ独立的に逆拡散復調する複数（n個）のフィンガ回路４１〜４ｎを備える。フィンガ回路４１〜４ｎのそれぞれは、移動体端末１に割り当てられた拡散符号を用いて受信信号１１０に対しチップ単位で相関を取りながら積分し、シンボルデータとしてバッファに格納する。この際、フィンガ回路４１〜４ｎのそれぞれは、対応するタイミング信号１２１〜１２ｎに応答して、パス信号に対して逆拡散処理を実行する。
【００３１】
レイク合成部５０は、フィンガ回路４１〜４ｎから出力されたシンボルデータ１３１〜１３ｎを合成する。詳細には、レイク合成部５０は、シンボルデータ１３１〜１３ｎのそれぞれのデータフレームに含まれるパイロットシンボルを基準位相として、同期検波処理を行う。次に、レイク合成部５０は、フィンガ回路４１〜４ｎの逆拡散タイミングの時間差及び位相を補正して、シンボルデータ１３１〜１３ｎを合成する。この際、レイク合成部５０は、遅延プロファイル１０１に含まれる電力レベル（S/N比）によって重み付けした最大合成比を用いてシンボルデータ１３１〜１３ｎを合成する。
【００３２】
レイク合成部５０によって合成されたシンボルデータは、合成受信データ１０２としてエラー制御部７０及び電力測定回路６０に入力される。電力測定回路６０は、合成受信データ１０２の電力値１０４を測定する。本実施の形態では、電力測定回路６０は、合成受信データ１０２の信号点における振幅から希望波受信電力RSSI(Received Signal Strength Indicator)を検出し、電力値１０４として電源制御部８０に出力する。尚、電力値１０４は、希望波と干渉波の比であるSIR（Signal Interference Ratio)でも構わない。この場合、電力測定回路６０は、合成受信データ１０２に基づき基準位相に対する各信号点の分散を演算してSIRを検出する。
【００３３】
エラー制御部７０は、エラー訂正回路７１と、エラー検出回路７２と、セレクタ７３とを備える。エラー訂正回路７１は、合成受信データ１０２の誤り訂正を実行し、その結果を合成受信データ１０３としてセレクタ７３に出力する。例えば、エラー訂正回路７１は、ターボ符号や畳み込み符号（ビタビ復号）により合成受信データ１０２のエラー訂正処理を実行するビタビ／ターボデコーダが好適である。エラー検出回路７２は、合成受信データのエラー率１０５（BER（Bit error rate)を検出し、セレクタ７３及び電源制御部８０に出力する。セレクタ７３は、レイク合成部５０からの合成受信データ１０２とエラー訂正回路７１から入力されるエラー訂正後の合成受信データ１０３とのどちらかを選択して受信データ１０６として図示しないデコーダに出力する。この際、セレクタ７３は、エラー検出回路７２から入力されるエラー率１０５と、予め設定された所定の値との比較結果に応じて受信データ１０６して選択する合成受信データを選択する。エラー率１０５が所定の値よりも大きい場合、合成受信データ１０３が受信データ１０６として出力される。
【００３４】
電源制御部８０は、記憶装置８１と、受信電力判定部８２と、エラー率判定部８３と、電源制御回路８４とを備える。記憶装置８１は、閾値として設定される電力条件ＰＴとエラー率条件ＥＴを格納する。受信電力判定部８２は、入力される電力値１０４と電力条件ＥＴとを比較し、比較結果を電源制御回路８４に出力する。エラー率判定部８３は、入力されるエラー率１０５とエラー条件ＥＴとを比較し、比較結果を電源制御回路８４を出力する。電源制御回路８４は、受信電力判定部８２及びエラー率判定部８３における比較結果に基づき、所定の回路への電源の供給を停止する。
【００３５】
図３は電源制御回路８４の構成を示すブロック図である。図２を参照して、電源制御回路８４は、フィンガ回路４１〜４ｎへの電源供給を制御する電源制御回路８５と、レイク合成部５０への電源供給を制御する電源制御回路８６と、エラー訂正回路７１への電源供給を制御する電源制御回路８７とを備える。
【００３６】
電源制御回路８５は、フィンガ回路４１〜４ｎのそれぞれの電源端子と電源Ｖとの間に設けられるスイッチ８５１〜８５ｎと、スイッチ８５１〜８５ｎのそれぞれのオン・オフを独立的に制御するスイッチ制御部８５０とを備える。スイッチ制御部８５０は、受信電力判定部８２及びエラー率判定部８３における比較結果、及び遅延プロファイル１０１に基づきスイッチ８５１〜８５ｎのオン・オフを制御する。又、スイッチ制御部８５０には、所定時間を計測するためのクロック信号ＣＬＫが入力されても良い。この場合、スイッチ制御部８５０は、オフしたスイッチを、所定時間の後にオンして、フィンガ回路への電源供給を再開することができる。
【００３７】
電源制御回路８６は、レイク合成部５０の電源端子と電源Ｖとの間に設けられるスイッチ８６１と、スイッチ８６１のオン・オフを制御するスイッチ制御部８６０とを備える。スイッチ制御部８６０は、受信電力判定部８２及びエラー率判定部８３における比較結果に基づきスイッチ８６１のオン・オフを制御する。又、スイッチ制御部８６０には、所定時間を計測するためのクロック信号ＣＬＫが入力されても良い。この場合、スイッチ制御部８６０は、オフしたスイッチ８６１を、所定時間の後にオンして、レイク合成部５０への電源供給を再開することができる。
【００３８】
電源制御回路８７は、エラー訂正回路７１の電源端子と電源Ｖとの間に設けられるスイッチ８７１と、スイッチ８７１のオン・オフを制御するスイッチ制御部８７０とを備える。スイッチ制御部８６０は、受信電力判定部８２及びエラー率判定部８３における比較結果に基づきスイッチ８７１のオン・オフを制御する。又、スイッチ制御部８７０には、所定時間を計測するためのクロック信号ＣＬＫが入力されても良い。この場合、スイッチ制御部８７０は、オフしたスイッチ８７１を、所定時間の後にオンして、エラー訂正回路７１への電源供給を再開することができる。
【００３９】
２．第１の実施の形態における動作
以上のような構成により、本発明による受信装置は、伝搬経路が良好で安定した受信状態を確保できる場合、フィンガ回路４１〜４ｎの一部及びエラー訂正回路７１への電源供給を停止して、所望信号の受信動作を実施する。第１の実施の形態における受信装置では、アンテナ１０で受信するマルチパス信号の受信電力が所定のレベルより大きく、且つエラー率が所定の値より小さい場合、フィンガ回路４１〜４ｎのうちの１つ（例えばフィンガ回路４１）を除く全てのフィンガ回路（４２〜４ｎ）への電源の供給が停止される。この際、レイク合成部５０及びエラー訂正回路７１への電源の供給も停止される。
【００４０】
以下、図５及び図６を参照して第１の実施の形態における受信装置の受信動作の詳細を説明する。図５は、本実施の形態における受信装置の受信及び電源制御動作を示すフロー図である。図５を参照して、本実施の形態における携帯電話端末１が待ち受け中に、基地局２からマルチパス信号が入力されると、フィンガ部４０において逆拡散処理が実行される（ステップＳ２及びＳ４）。詳細には、タイミング制御部３０は、受信したマルチパス信号含まれるパス信号の受信時間、信号レベル、位相を求め、逆拡散復調の対象となるパス信号を各フィンガ回路４１〜４ｎに割り当てる。例えば、図１に示されるような伝送路Ａ、Ｂ、Ｃを伝搬するマルチパス信号が受信された場合、タイミング制御部３０は、各パス信号の信号レベル、受信時刻を求めて、それぞれのパス信号を図４（ａ）のように検出し遅延プロファイル１０１を生成する。この際、タイミング制御部３０は受信時刻Ｔ１、Ｔ２、Ｔ３に対応したタイミングで、例えばフィンガ回路４１〜４３に各パス信号の逆拡散処理を実行させる。ここでは、ｎ個のパス信号のそれぞれがフィンガ回路４１〜４ｎによって逆拡散処理され、シンボルデータ１３１〜１３ｎとしてレイク合成部５０に出力されるものとする。
【００４１】
レイク合成部５０は、遅延プロファイル１０１に基づき、フィンガ回路４１〜４ｎから出力されたシンボルデータ１３１〜１３ｎを合成する（ステップＳ６）。例えば、図４（ａ）に示される各パス信号の位相差、受信時間差を補正して合成し、図４（ｂ）に示される合成受信データ１０２を生成する。
【００４２】
レイク合成部５０から合成受信データ１０２が出力されると、電力測定回路６０は、合成受信データ１０２の電力値１０４を測定する（ステップＳ８）。受信電力判定部８２は、この電力値１０４と記憶装置８１内の電力条件ＰＴとを比較する（ステップＳ１０）。一方、エラー検出回路７２は、合成受信データ１０２のエラー率１０５を測定する。エラー率判定部８３は、このエラー率１０５と記憶装置８１内のエラー率条件ＥＴとを比較する（ステップＳ１２）。ここでステップＳ１０とステップＳ１２の順番はどちらが先でも良いし、同時的に実行されても良い。
【００４３】
受信電力判定部８２によって、電力値１０４が電力条件ＰＴ以下であると判定されると、電源制御部８０は、通常通り接続する全ての回路への電源供給を継続する（ステップＳ１０Ｎｏ）。又、エラー率判定部８３によって、エラー率１０５がエラー率条件ＥＴ以上であると判定されると、電源制御部８０は、通常通り接続する全ての回路への電源供給を継続する（ステップＳ１２Ｎｏ）。すなわち、受信したマルチパス信号の信号レベルが閾値以下であり、そのエラー率が閾値以上である場合、複数のフィンガ回路４１〜４ｎ及びレイク合成部５０によるレイク受信によって、通常通り受信感度を向上することができる。
【００４４】
一方、電力値１０４が電力条件ＰＴより大きく、且つエラー率１０５がエラー率条件ＥＴより小さい場合（ステップＳ１０及びＳ１２Ｙｅｓ）、電源制御回路８４は、受信電力が最大レベルのパス信号の逆拡散処理を割り当てられたフィンガ回路以外のフィンガ回路への電源供給を停止する。又、この際、レイク合成部５０及びエラー訂正回路７１への電源供給も停止する（ステップＳ１４）。例えば、受信電力が最大レベルのパス信号を逆拡散するように割り当てられたフィンガ回路がフィンガ回路４１である場合、スイッチ制御部８５０は、受信電力判定部８２及びエラー率判定部８３からの制御信号に応答してスイッチ８５１のみをオンとし、スイッチ８５２〜８５ｎをオフとする。又、スイッチ制御部８６０は、受信電力判定部８２及びエラー率判定部８３からの制御信号に応答してスイッチ８６１をオフにして、電源Ｖとレイク合成部５０の電源端子との間の接続を切断する。更に、スイッチ制御部８７０は、受信電力判定部８２及びエラー率判定部８３からの制御信号に応答してスイッチ８７１をオフにして、電源Ｖとエラー訂正回路７１の電源端子との間の接続を切断する。尚、ステップＳ１４において、電源制御回路８４は最大電力レベルに対応するフィンガ回路のみに電源を供給しているが、閾値以上電力レベルを逆拡散処理する複数のフィンガ回路を残しても良い。この場合、レイク合成部５０への電源供給は維持される。
【００４５】
ステップＳ１４以降、アンテナ１０で受信されるマルチパス信号は、１つのフィンガ回路４１によって逆拡散される。又、フィンガ回路４１によって逆拡散されたシンボルデータ１３１は、受信データ１０６としてセレクタ７３から出力され、図示しないデコーダによって音声データや画像データにデコードされる。ここで、電力条件ＰＴ及びエラー率条件ＥＴは、シンボルデータ１３１が受信データ１０６として出力されても、有効に音声データや画像データとしてデコードされる様に設定される。すなわち、ステップＳ１４に移行する場合、このとき受信装置に受信されるマルチパス信号は、フェージング及び反射波による影響が無視できるほど安定した無線信号であり、実質的に単一のパス信号となる。本発明による受信装置は、このような無線信号が到達するような良好な通信状態において、１つのフィンガ回路４１を除く全てのフィンガ回路４２〜４ｎ、レイク合成部５０、エラー訂正回路７１の動作を停止することで、システム全体の消費電力を低減することができる。
【００４６】
以上のように、良好な通信状態において、本発明による受信装置は、対象回路（１つのフィンガ回路４１を除く全てのフィンガ回路４２〜４ｎ、レイク合成部５０、エラー訂正回路７１）への電源供給を停止して消費電力を抑制する低消費電力モードとなる。次に、この低消費電力モードから、対象回路への電源供給を再開して通常の受信モード（通常モード）に変更する方法について説明する。
【００４７】
図６は、低消費電力モードから通常モードへ移行処理の一例を示すフロー図である。図６を参照して、ステップＳ１４において、電源制御回路８４が対象回路への電源供給を停止してから所定の時間が経過すると（ステップＳ１６）、対象回路、すなわちフィンガ回路４２〜４ｎ、レイク合成部５０、エラー訂正回路７１への電源供給を再開する。このように、低消費電力モードとなる時間を一定時間とすることで、複雑な動作や構成を必要とせずに通常モードへの移行が可能となる。
【００４８】
又、図７は、低消費電力モードから通常モードへの移行処理の他の一例を示すフロー図である。図７を参照して、ステップＳ１４以降、受信装置が受信するマルチパス信号に基づく受信信号１１０に対し、フィンガ回路４１のみが逆拡散処理を行いシンボルデータ１３１を出力する（ステップＳ２０及びＳ２２）。電力測定回路６０は、シンボルデータ１３１の電力値１０４を測定する（ステップＳ２４）。受信電力判定部８２は、この電力値１０４と記憶装置８１内の電力条件ＰＴとを比較する（ステップＳ２６）。一方、エラー検出回路７２は、シンボルデータ１３１のエラー率１０５を測定する。エラー率判定部８３は、このエラー率１０５と記憶装置８１内のエラー率条件ＥＴとを比較する（ステップＳ２８）。ここでステップＳ２６とステップＳ２６の順番はどちらが先でも良いし、同時的に実行されても良い。
【００４９】
受信電力判定部８２によって、電力値１０４が電力条件ＰＴ以下であると判定されると（ステップＳ２６Ｎｏ）、通常モードに以降し、電源制御部８０は、低消費電力モードにおいて電源供給を停止した全ての回路への電源供給を再開する（ステップＳ３０）。又、エラー率判定部８３によって、エラー率１０５がエラー率条件ＥＴ以上であると判定されると（ステップＳ２８Ｎｏ）、電源制御部８０は、低消費電力モードにおいて電源供給を停止した全ての回路への電源供給を再開する（ステップＳ３０）。すなわち、受信したマルチパス信号の信号レベルが閾値以下である場合、又はそのエラー率が閾値以上である場合、複数のフィンガ回路４１〜４ｎ及びレイク合成部５０によるレイク受信によって、通常通りの受信感度で受信することができる。
【００５０】
一方、電力値１０４が電力条件ＰＴより大きく、且つエラー率１０５がエラー率条件ＥＴより小さい場合（ステップＳ２６及びＳ２８Ｙｅｓ）、受信装置は低消費電力モードを維持して次の受信信号１１０を待ち受ける（ステップＳ２０）。
【００５１】
以上のように本発明による受信装置によれば、スペクトル拡散を応用した移動体通信システムにおいて、受信電力の大きく、且つ受信エラーが起きていない条件のときのみ、電源制御部８０によってエラー訂正回路７１への電源供給は停止され、同時に１つのフィンガ回路４１だけ動作させて、残りのフィンガ回路４２〜４ｎへの電源供給も停止される。これにより、受信状態が良好な場合、逆拡散処理が不要なフィンガ回路４２〜４ｎのみならずエラー訂正回路７１の双方の回路への電源供給を停止することができるので、システムの消費電力の低減を図ることができる。尚、電源制御部８０は、レイク合成部５０への電源供給を停止する際、タイミング制御部３０への電源供給を停止しても良い。
【００５２】
３．第２の実施の形態における動作
図８を参照して第２の実施の形態における受信装置の受信動作の詳細を説明する。第２の実施の形態における受信装置には、複数の電力条件（第１電力条件ＰＴ１及び第２電力条件ＰＴ２（ＰＴ１＞ＰＴ２））が設定される。第２の実施の形態における電源制御部８０は、これらの条件によって電源を供給する対象回路を段階的に決定する。
【００５３】
図８を参照して、ステップＳ２〜ステップＳ８までは第２の実施の形態と同じ動作であるので説明を省略する。ステップＳ８において、電力測定回路６０によって電力値１０４が測定されると、受信電力判定部８２は、この電力値１０４と記憶装置８１内の第１電力条件ＰＴ１とを比較する（ステップＳ３２）。一方、エラー検出回路７２は、合成受信データ１０２のエラー率１０５を測定する。又、エラー率判定部８３は、エラー率１０５とエラー率条件ＥＴとを比較する。
【００５４】
受信電力判定部８２によって、電力値１０４が第１電力条件ＰＴ１より大きいと判定され（ステップＳ３２Ｙｅｓ）、エラー率判定部８３によって、エラー率１０５がエラー条件ＥＴより小さいと判定される場合（ステップＳ３４Ｙｅｓ）、電源制御回路８４は、受信電力が最大レベルのパス信号の逆拡散処理を割り当てられたフィンガ回路以外のフィンガ回路への電源供給を停止する。又、この際、レイク合成部５０及びエラー訂正回路７１への電源供給も停止する（ステップＳ３６）。
【００５５】
一方、受信電力判定部８２によって、電力値１０４が第１電力条件ＰＴ１より大きいと判定され（ステップＳ３２Ｙｅｓ）、エラー率判定部８３によって、エラー率１０５がエラー条件ＥＴ以上と判定される場合（ステップＳ３４Ｎｏ）、電源制御回路８４は、所定数のフィンガ回路への電源供給を停止する（ステップＳ４２）。この際、電源制御回路８４は、所定の電力レベル以上のパス信号の逆拡散処理を割り当てられたフィンガ回路以外のフィンガ回路への電源供給を停止する。
【００５６】
受信電力判定部８２は、電力値１０４が第１電力条件ＰＴ１以下と判定すると（ステップＳ３２Ｎｏ）、電力値１０４と第２電力条件ＰＴ２とを比較する（ステップＳ３８）。この際、電力値１０４が第２電力条件ＰＴ２以下であると判定されると、電源制御部８０は、通常通り接続する全ての回路への電源供給を継続する（ステップＳ３８Ｎｏ）。
【００５７】
受信電力判定部８２によって、電力値１０４が第２電力条件ＰＴ２より大きいと判定され（ステップＳ３８Ｙｅｓ）、エラー率判定部８３によって、エラー率１０５がエラー条件ＥＴより小さいと判定される場合（ステップＳ４０Ｙｅｓ）、電源制御回路８４は、所定数のフィンガ回路への電源供給を停止するとともにエラー訂正回路７１への電源供給を停止する（ステップＳ４４）。この際、電源制御回路８４は、所定の電力レベル以上のパス信号の逆拡散処理を割り当てられたフィンガ回路以外のフィンガ回路への電源供給を停止する。
【００５８】
一方、受信電力判定部８２によって、電力値１０４が第２電力条件ＰＴ２より大きいと判定され（ステップＳ３８Ｙｅｓ）、エラー率判定部８３によって、エラー率１０５がエラー条件ＥＴ以上と判定される場合（ステップＳ４０Ｎｏ）、電源制御回路８４は、所定数のフィンガ回路への電源供給を停止する（ステップＳ４２）。この際、電源制御回路８４は、所定の電力レベル以上のパス信号の逆拡散処理を割り当てられたフィンガ回路以外のフィンガ回路への電源供給を停止する。
【００５９】
ステップＳ４２において電源供給が停止されるフィンガ回路の数は、ステップＳ４４において電源供給が停止されるフィンガ回路の数と等しい又は多いことが好ましい。又、このような数となるように、電源が供給される条件となるパス信号の電力レベルが設定されることが好ましい。尚、ステップＳ４２及びＳ４４において電源を供給するフィンガ回路の数は、予め設定された固定値でも構わない。
【００６０】
以上のように、第２の実施の形態における受信装置は、レイク合成部５０において合成された合成受信データ１０２の複数の電力条件で比較判定することで、フィンガ回路、レイク合成部５０、エラー訂正回路７１を段階的に選択使用できる。このため、逆拡散処理を実行するフィンガ回路の数やエラー訂正処理をその受信レベルやエラー率によって変更でき、受信状況にあわせた消費電力及び受信感度の向上が期待できる。すなわち、本実施の形態における受信装置は、消費電力の低減を優先したモードと受信感度の向上優先したモードを受信状況に応じて段階的に変更することができる。
【００６１】
以上、本発明の実施の形態を詳述してきたが、具体的な構成は上記実施の形態に限られるものではなく、本発明の要旨を逸脱しない範囲の変更があっても本発明に含まれる。第２の実施の形態における電源供給が停止された回路に対する電源供給再開動作は、第１の実施の形態と同様に、所定の時間の経過後に通常モードに移行しても良いし、電力条件ＰＴやエラー条件ＥＴに基づいて通常モードに移行しても良い。
【図面の簡単な説明】
【００６２】
【図１】図１は、本発明による移動体通信システムの実施の形態における構成の一部を示す概念図である。
【図２】図２は、本発明による受信装置の実施の形態における構成を示すブロック図である。
【図３】図３は、本発明による電源制御部の実施の形態における構成を示すブロック図である。
【図４】図４（ａ）は、本発明による受信装置に受信されるマルチパス信号に含まれるパス信号の信号レベルと受信時間を示す図である。図４（ｂ）は、本発明によるレイク合成部において合成された合成受信データと電力条件との関係を示す図である。
【図５】図５は、本発明による受信装置の第１の実施の形態における受信及び電源制御処理の動作を示すフロー図である。
【図６】図６は、本発明による受信送致の第１及び第２の実施の形態において、低消費電力モードから通常モードへ移行処理の一例を示すフロー図である。
【図７】図７は、本発明による受信送致の第１の実施の形態において、低消費電力モードから通常モードへ移行処理の一例を示すフロー図である。
【図８】図８は、本発明による受信装置の第２の実施の形態における受信及び電源制御処理の動作を示すフロー図である。
【符号の説明】
【００６３】
１０：アンテナ
２０：受信回路
３０：タイミング制御部
４０：レイクフィンガ部
４１〜４ｎ：フィンガ回路
４０１：積算器
４０２：加算器
４０３：バッファ
５０：レイク合成部
６０：電力測定回路
７０：エラー制御部
７１：エラー訂正回路
７２：エラー検出回路
７３：セレクタ
８０：電源制御部
８１：記憶装置
８２：受信電力判定部
８３：エラー率判定部
８４：電源制御回路
１１０：受信信号
１２１〜１２ｎ：タイミング信号
１３１〜１３ｎ：シンボルデータ
１０１：遅延プロファイル
１０２：合成受信データ
１０３：受信データ
１０４：電力値
１０５：エラー率
ＰＴ：電力条件
ＰＴ１：第１電力条件
ＰＴ２：第２電力条件
ＥＴ：エラー率条件
【図１】
2008053896.tif 000003
【図２】
2008053896.tif 000004
【図３】
2008053896.tif 000005
【図４】
2008053896.tif 000006
【図５】
2008053896.tif 000007
【図６】
2008053896.tif 000008
【図７】
2008053896.tif 000009
【図８】
2008053896.tif 000010